(57)【要約】【課題】導光板の側方からも光を出射させることができるエッジライト方式の照明器具を提供する。【解決手段】前方に光を発する光源１０と、第１の主面を有し、光源１０が発する光を第１の主面側に導光する導光板１２０と、第１の主面に対向する本体部３０ａと、導光板１２０の側面の少なくとも一部を囲む周縁部３０ｂとからなり、透光性を有するカバー３０と、導光板１２０の一部として設けられる反射部１２１ａおよび１２１ｂとを備え、光源１０は、導光板１２０の側面に向けて光を発するように、カバー３０の周縁部３０ｂと導光板１２０の側面との間に配置され、反射部１２１ａおよび１２１ｂは、光源１０が発する光を光源１０の後方に向けて反射する。【選択図】図９
2015130271.tif 000002
【特許請求の範囲】
【請求項１】
前方に光を発する光源と、
第１の主面を有し、前記光源が発する光の一部を前記第１の主面側に導光する導光板と、
前記第１の主面に対向する本体部と、前記導光板の側面の少なくとも一部を囲む周縁部とからなり、透光性を有するカバーと、
前記導光板の一部として設けられる、または、前記導光板の側面と前記カバーの前記周縁部との間に設けられる、反射部とを備え、
前記光源は、前記導光板の側面に向けて光を発するように、前記カバーの前記周縁部と前記導光板の側面との間に配置され、
前記反射部は、前記光源が発する光の他の一部を前記光源の後方に向けて反射する
照明器具。
【請求項２】
前記光源は、複数であり、
複数の前記光源は、前記導光板を介して互いに対向しない位置に配置される
請求項１に記載の照明器具。
【請求項３】
前記導光板の側面には、前記導光板の内側に向かって凹んだ凹部が設けられ
前記光源は、前記凹部の底面に向けて光を発し、
前記反射部は、前記凹部の内側面である
請求項１または２に記載の照明器具。
【請求項４】
前記反射部は、前記導光板の側面のうち厚み方向における端部に設けられる
請求項３に記載の照明器具。
【請求項５】
前記導光板の側面には、前記導光板の外側に向かって突出した凸部が設けられ、
前記反射部は、前記凸部の側面である
請求項１または２に記載の照明器具。
【請求項６】
前記反射部が有する反射面は、階段状である
請求項１〜５のいずれか１項に記載の照明器具。
【請求項７】
前記反射部が有する反射面は、前記光源の光軸と平行な直線とは直交しない
請求項１〜５のいずれか１項に記載の照明器具。
【請求項８】
さらに、前記導光板の前記第１の主面と反対側の主面である第２の主面に直接重ねられる、または、他の部材を介して重ねられる第１板状部と、前記導光板の側面と前記カバーの前記周縁部との間に位置する第２板状部とを有する基板を備え、
前記反射部は、前記第２板状部のうち前記光源と対向する面である
請求項１または２に記載の照明器具。
【請求項９】
前記基板は、さらに、前記導光板の側面と前記カバーの前記周縁部との間に位置する第３板状部を備え、
前記光源は、前記第３板状部のうち前記導光板の側面と対向する面に設けられる
請求項８に記載の照明器具。
【請求項１０】
前記光源が発する光の一部は、前記導光板の側面のうちの入光部に入射し、
前記入光部は、前記光源が発する光の一部を主として前記導光板の内部に透過させ、
前記反射部は、前記光源が発する光の他の一部を主として前記光源の後方に向けて反射する
請求項１〜９のいずれか１項に記載の照明器具。
【請求項１１】
前記反射部は、前記光源が発する光の他の一部を、前記光源の後方に位置する前記カバーの前記周縁部に向けて反射する
請求項１〜１０のいずれか１項に記載の照明器具。
【発明の詳細な説明】
【技術分野】
【０００１】
本発明は、照明器具に関し、特に、光源からの光を導光板の側面に入射して導光板の主面から出射させるエッジライト方式の照明器具に関する。
【背景技術】
【０００２】
従来、光源からの光を導光板の側面に入射して導光板の主面（光出射面）から出射させる、エッジライト方式の照明器具が知られている（例えば、特許文献１〜３参照）。
【先行技術文献】
【特許文献】
【０００３】
【特許文献１】特開２００８−３１１０９１号公報
【特許文献２】特許第５０２２１１８号公報
【特許文献３】特開２０１３−１２７８５４号公報
【発明の概要】
【発明が解決しようとする課題】
【０００４】
このようなエッジライト方式の照明器具は、光源が導光板の側方に配置されるため、薄型化が容易であるという利点がある。一方で、通常は、導光板の側方（光源の後方）からは光は出射されない。
【０００５】
そこで、本発明は、導光板の側方からも光を出射させることができるエッジライト方式の照明器具を提供する。
【課題を解決するための手段】
【０００６】
上記の課題を解決するために、本発明の一態様に係る照明器具は、前方に光を発する光源と、第１の主面を有し、前記光源が発する光の一部を前記第１の主面側に導光する導光板と、前記第１の主面に対向する本体部と、前記導光板の側面の少なくとも一部を囲む周縁部とからなり、透光性を有するカバーと、前記導光板の一部として設けられる、または、前記導光板の側面と前記カバーの前記周縁部との間に設けられる、反射部とを備え、前記光源は、前記導光板の側面に向けて光を発するように、前記カバーの前記周縁部と前記導光板の側面との間に配置され、前記反射部は、前記光源が発する光の他の一部を前記光源の後方に向けて反射する。
【０００７】
また、例えば、前記光源は、複数であり、複数の前記光源は、前記導光板を介して互いに対向しない位置に配置されてもよい。
【０００８】
また、例えば、前記導光板の側面には、前記導光板の内側に向かって凹んだ凹部が設けられ前記光源は、前記凹部の底面に向けて光を発し、前記反射部は、前記凹部の内側面であってもよい。
【０００９】
また、例えば、前記反射部は、前記導光板の側面のうち厚み方向における端部に設けられてもよい。
【００１０】
また、例えば、前記導光板の側面には、前記導光板の外側に向かって突出した凸部が設けられ、前記反射部は、前記凸部の側面であってもよい。
【００１１】
また、例えば、前記反射部が有する反射面は、階段状であってもよい。
【００１２】
また、例えば、前記反射部が有する反射面は、前記光源の光軸と平行な直線とは直交しなくてもよい。
【００１３】
また、例えば、さらに、前記導光板の前記第１の主面と反対側の主面である第２の主面に直接重ねられる、または、他の部材を介して重ねられる第１板状部と、前記導光板の側面と前記カバーの前記周縁部との間に位置する第２板状部とを有する基板を備え、前記反射部は、前記第２板状部のうち前記光源と対向する面であってもよい。
【００１４】
また、例えば、前記基板は、さらに、前記導光板の側面と前記カバーの前記周縁部との間に位置する第３板状部を備え、前記光源は、前記第３板状部のうち前記導光板の側面と対向する面に設けられてもよい。
【００１５】
また、例えば、前記光源が発する光の一部は、前記導光板の側面のうちの入光部に入射し、前記入光部は、前記光源が発する光の一部を主として前記導光板の内部に透過させ、前記反射部は、前記光源が発する光の他の一部を主として前記光源の後方に向けて反射してもよい。
【００１６】
また、例えば、前記反射部は、前記光源が発する光の他の一部を、前記光源の後方に位置する前記カバーの前記周縁部に向けて反射してもよい。
【発明の効果】
【００１７】
本発明によれば、導光板の側方からも光を出射させることができるエッジライト方式の照明器具が実現される。
【図面の簡単な説明】
【００１８】
【図１】図１は、エッジライト方式のダウンライトの構成を示す模式断面図である。
【図２】図２は、一般家庭用を想定したダウンライトの構成を示す模式図である。
【図３】図３は、実施の形態１に係る照明器具の外観を示す図である。
【図４】図４は、実施の形態１に係る照明器具の模式断面図である。
【図５】図５は、光源と導光板との位置関係を説明するための図である。
【図６】図６は、実施の形態１に係る反射部の別の態様を示す図である。
【図７】図７は、導光板とは別体として設けられる反射部を示す図である。
【図８】図８は、板状部材が折り曲げられて形成された反射部を説明するための図である。
【図９】図９は、実施の形態２に係る照明器具の模式断面図である。
【図１０】図１０は、実施の形態２に係る反射部の拡大図である。
【図１１】図１１は、実施の形態２に係る反射部の別の態様を示す図である。
【図１２】図１２は、平面視形状が多角形の導光板に反射部が設けられる例を示す図である。
【図１３】図１３は、平面視形状が多角形の導光板とは別体として設けられる反射部を示す図である。
【図１４】図１４は、平面視形状が多角形の導光板と光源との位置関係を説明するための図である。
【発明を実施するための形態】
【００１９】
（本発明の基礎となった知見）
従来、エッジライト方式の照明器具が知られている。図１は、エッジライト方式のダウンライトの構成を示す模式断面図である。
【００２０】
図１に示されるように、照明器具５０ａは、エッジライト方式のダウンライトであり、天井材６０に埋め込まれる。光源１０ａは、筐体５５内の導光板２５の側方に配置され、導光板２５の側面に向けて光を発する。
【００２１】
導光板２５の出射面（第１の主面２５ａ）とは反対側の面（第２の主面２５ｂ）には、多数の溝やドットパターンが形成されている。さらに、導光板２５の第２の主面２５ｂには、反射シート４０が重ね合わされている。
【００２２】
よって、導光板２５に入射した光は、主に第２の主面２５ｂで反射されて第１の主面２５ａから出射される。導光板２５から出射された光は、カバー３５を通じて室内に出射される。
【００２３】
ところで、ダウンライトのような天井に埋め込まれる方式の照明器具が、一般家庭の室内照明として使用されるケースが増えている。このような場合、室内をなるべく均一に明るくするため、天井面や壁面にも配光されるような構成の照明器具が望ましい。図２は、一般家庭用を想定したダウンライトの構成を示す模式図である。
【００２４】
一般家庭用を想定した場合、図２に示されるように、照明器具５０ｂの発光部を天井材６０から室内側に突出させることが考えられる。これにより、照明器具５０ｂの光が天井面や壁面にも配光される。
【００２５】
照明器具５０ｂの発光部を室内側に突出させた場合、カバー３０には、導光板２５の側面に対向する周縁部３０ｂが設けられることが想定される。ここで、カバー３０のうち、第１の主面２５ａに対向する本体部３０ａからは光が出射されるが、カバー３０の周縁部３０ｂからは、光は通常出射されない。
【００２６】
したがって、照明器具５０ｂのような構成においては、カバー３０の周縁部３０ｂ（導光板２５の側方）からも光を出射させ、天井面から突出した発光部の全体を均一に発光させることが課題となる。しかしながら、光源１０自体が障害物となって光を遮ってしまうなどの原因で、カバー３０の周縁部３０ｂ（光源１０の後方側）から光を出射させることは容易でない。
【００２７】
本発明は、このような状況に鑑み、発明者らによってなされたものである。
【００２８】
以下、本発明の実施の形態について、図面を参照しながら説明する。
【００２９】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。なお、各図は、模式図であり、必ずしも厳密に図示したものではない。したがって、各図同士において厳密には一致していない部分も存在する。
【００３０】
（実施の形態１）
まず、実施の形態１に係る照明器具の全体構成について説明する。図３は、実施の形態１に係る照明器具の外観を示す図である。図４は、実施の形態１に係る照明器具の模式断面図である。なお、図４では光源が１つのみ（光源１０のみ）図示されているが、照明器具１００は、光源１０を含む複数の光源を備える。以下の説明において光源１０として説明される内容は、照明器具１００が備える各光源についても同様であるものとする。
【００３１】
図３および図４に示されるように、照明器具１００は、光源１０と、導光板２０と、カバー３０（本体部３０ａおよび周縁部３０ｂ）と、反射シート４０と、基板７０と、取り付け用バネばね７５と、電源部８０と、ヒートシンク９０とを備える。
【００３２】
照明器具１００は、取り付け用バネ７５によって天井材６０に固定されるエッジライト方式のダウンライトである。図４に示されるように、照明器具１００は、一部が天井に埋め込まれており、天井材６０に固定された状態においては、室内からはカバー３０のみが視認可能である。
【００３３】
照明器具１００は、カバー３０の全体がほぼ均一に発光する点が特徴である。すなわち、照明器具１００は、カバー３０の周縁部３０ｂが、カバー３０の本体部３０ａと同様に発光する点が特徴である。以下、照明器具１００の各構成について説明する。
【００３４】
ヒートシンク９０は、アルミダイカスト製のヒートシンクであり、光源１０の発光により生じる熱を放熱するための部材である。ヒートシンク９０は、電源部８０を収納する筐体としても機能する。なお、ヒートシンク９０は、アルミダイカスト以外の材料で形成されてもよい。
【００３５】
電源部８０は、光源１０が発光するための電力を供給する電源回路である。なお、図３および図４では図示されないが、ダウンライトでは、電源回路を収納するための筐体が別途設けられる場合がある。
【００３６】
基板７０は、アルミ製の基板であり、基板本体７０ａ（第１板状部）と、基板本体７０ａから延伸されてカバー３０の周縁部３０ｂと導光板２０の側面との間に位置する実装部７０ｂ（第３板状部）とからなる。実装部７０ｂの導光板２０の側面と対向する面には、光源１０が実装される。基板７０は、アルミ以外の材料で形成されてもよい。
【００３７】
なお、実装部７０ｂは、導光板２０の側面の全周を覆っているわけではなく、光源１０の位置に対応して複数設けられる。ここで、実装部７０ｂは、周縁部３０ｂへ向かう光を遮らないように光源１０が実装可能な範囲でなるべく小さく形成されることが望ましい。つまり、側方から見た場合の実装部７０ｂの大きさは、なるべく小さいほうがよい。
【００３８】
カバー３０は、導光板２０の第１の主面２０ｃに対向する本体部３０ａと、本体部３０ａから延伸されて導光板２０の側面の少なくとも一部を囲む周縁部３０ｂとからなる、透光性を有する光学部材である。カバー３０は、シリカや炭酸カルシウム等の光拡散材（微粒子）を含有する乳白色の樹脂材料（例えば、アクリルなど）から形成され、光拡散機能を有する。なお、カバー３０は、その他の材料で形成されてもよい。カバー３０は、周縁部３０ｂの上端（天井側の端部）においてヒートシンク９０に取り付けられる。なお、実施の形態１では、周縁部３０ｂは、導光板２０の側面の全部を覆っている。
【００３９】
光源１０は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、当該キャビティ内に蛍光体含有樹脂が封入されたパッケージ型のＬＥＤ素子である。
【００４０】
なお、光源１０は、このような構成に限定されるものではなく、基板７０上に直接ＬＥＤチップが実装されたＣＯＢ（Ｃｈｉｐ  Ｏｎ  Ｂｏａｒｄ）型の発光モジュールが光源１０として用いられてもよい。また、光源１０が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００４１】
光源１０は、光出射側が導光板２０の側面に対向するように、基板７０のうち実装部７０ｂに実装され、導光板２０の側面に向けて光を出射する。つまり、光源１０は、導光板２０の側面と、カバー３０の周縁部３０ｂとの間に配置される。なお、光源１０は、導光板２０とは接触せず、光源１０と導光板２０との間には隙間が空けられている。
【００４２】
導光板２０は、カバー３０の本体部３０ａと対向する第１の主面２０ｃを有し、光源１０からの光を第１の主面２０ｃ側に導光する略円形板状の光学部材である。導光板２０の第１の主面２０ｃと反対側の主面である第２の主面２０ｄには、多数の溝や、ドットパターン、プリズム形状等が形成されている。また、第２の主面２０ｄには、反射シート４０が重ね合わされている。反射シート４０は、例えば、ポリエチレンテレフタレート（ＰＥＴ）などからなる光を反射するシートである。実施の形態１では、導光板２０は、ポリカーボネート（ＰＣ）や、アクリルなどの透光性の樹脂であるが、その他どのような材料で形成されてもよい。
【００４３】
ここで、導光板２０の側面には、反射部が設けられることが特徴である。以下、図５を用いて光源１０と、導光板２０および反射部との位置関係について説明する。図５は、光源と導光板２０との位置関係を説明するための図である。なお、図５は、光源１０と、導光板２０（反射部）とを第１の主面２０ｃ側から見た斜視図であり、その他の部材については図示が省略される。
【００４４】
図５に示されるように、照明器具１００は、導光板２０の側面を囲むように複数の光源（光源１０および光源１０ａ〜１０ｆ）を備える。各光源は、導光板２０の側面に向けて光を出射する。側面から入射された光源からの光は、主に第２の主面２０ｄに設けられた溝や反射シート４０などで反射して第１の主面２０ｃに導光される。
【００４５】
ここで、導光板２０の側面には、第１の主面２０ｃに垂直な方向から見た場合に（平面視した場合に）導光板２０の内側（中心側）に向かって凹んだテーパ状の凹部２１が設けられている。ここで、導光板２０の側面のうち凹部２１の２つの内側面（テーパ面）のそれぞれが反射部２１ａおよび反射部２１ｂである。導光板２０の側面のうち凹部の底面は、入光部２１ｃである。
【００４６】
反射部２１ａおよび反射部２１ｂは、導光板２０の側面の一部であって、光源１０からの光を主として反射する。つまり、反射部２１ａおよび２１ｂは、反射部２１ａおよび２１ｂに入射した光の大半を光源１０の後方（導光板２０とは反対方向）に向けて反射する。より具体的には、反射部２１ａおよび２１ｂに入射した光源１０が発する光の一部を、光源１０の後方に位置するカバー３０の周縁部３０ｂに向けて反射する。
【００４７】
反射部２１ａおよび反射部２１ｂは、導光板２０の周方向において入光部２１ｃを挟むように設けられている。反射部２１ａおよび反射部２１ｂの入光部２１ｃに対する角度は、光源１０からの光を効率よく反射できるように光源１０の位置を考慮して適宜設定される。つまり、反射部２１ａおよび反射部２１ｂの入光部２１ｃに対する角度（テーパ角）は、反射部２１ａおよび反射部２１ｂに入射する光源１０からの光の反射量が透過量よりも十分大きくなるように設定される。
【００４８】
なお、反射部２１ａおよび反射部２１ｂには、高反射塗装やアルミ蒸着など、光の反射率を高める表面処理がされてもよい。これにより、反射部２１ａおよび反射部２１ｂの光の反射率は、導光板２０の光の反射率よりも大きくなり、光源１０からの光を効率よく反射できる。
【００４９】
一方、入光部２１ｃは、光源１０からの光を主として透過し、第１の主面２０ｃ側に導光する。具体的には、上述のように、光源１０は、入光部２１ｃに向けて光を発し、入光部２１ｃに入射した光源１０からの光は、主に、第２の主面２０ｄで反射されて第１の主面２０ｃから出射される。
【００５０】
なお、実施の形態１では、入光部２１ｃは、光源１０の光軸と直交するが、反射部２１ａおよび反射部２１ｂ（反射部２２ａおよび反射部２２ｂが有するそれぞれの反射面）は、光源１０の光軸と平行な直線とは直交しない（直交する部分を有しない）。すなわち、入光部２１ｃが有する入射面と、反射部２２ａおよび反射部２２ｂが有するそれぞれの反射面は平行でない。
【００５１】
ところで、照明器具１００では、光源１０および光源１０ａ〜１０ｆは、導光板２０を介して互いに対向しない位置に配置されていることも特徴である。具体的には、光源１０と導光板２０を介して対向する位置１５には、光源が設けられていない点が特徴である。
【００５２】
図５に示されるように、入光部２１ｃに入射した光源１０からの光の一部は、導光板２０を通過して位置１５に出射される。この位置１５に出射された光は、位置１５の周辺に位置するカバー３０の周縁部３０ｂから外部に出射される。
【００５３】
このように、複数の光源が、導光板２０を介して互いに対向しない位置に配置されることによって、導光板２０を通過した光によって効率的にカバー３０の周縁部３０ｂを照らすことができる。
【００５４】
以上、説明したように、照明器具１００は、反射部が設けられることにより、エッジライト方式でありながら前方に光を発する光源１０の後方、つまり、導光板の側方に光を出射することができる。すなわち、照明器具１００は、カバー３０の周縁部３０ｂから外部に光を出射することができる。つまり、照明器具１００は、天井面や壁面にも配光されるような構成のエッジライト方式の照明器具として有用である。
【００５５】
なお、反射部の態様は、このような態様に限定されるものではない。図６は、反射部の別の態様を示す図である。
【００５６】
上述の反射部２１ａおよび２１ｂは、図６の（ａ）に示されるような平面であったが、図６の（ｂ）に示される導光板２０ａのように、導光板２０ａの側面に、階段状の反射部２２ａおよび反射部２２ｂが設けられてもよい。つまり、反射部２２ａおよび反射部２２ｂ（反射部２２ａおよび反射部２２ｂが有するそれぞれの反射面）は、階段状であってもよい。
【００５７】
なお、図示されないが、導光板の側面に凹部に代えて凸部が設けられてもよい。具体的には、導光板２０の側面に導光板２０の外側に向かって突出した凸部が設けられ、反射部は、導光板２０ｂの側面のうち、凸部の側面に対応する面であってもよい。
【００５８】
また、反射部は、導光板と一体である必要はない。図７は、導光板とは別体として設けられる反射部を示す図である。
【００５９】
図７に示される導光板２０ｂは、円形板状であり、導光板２０ｂの側面には、導光板２０ｂとは別の部材である反射部材２３ａおよび反射部材２３ｂが取り付けられている。反射部材２３ａおよび２３ｂは、略三角柱形状の部材であり、反射部材２３ａおよび反射部材２３ｂのそれぞれの一つの側面が、導光板２０ｂに取り付けられている。反射部材２３ａおよび反射部材２３ｂは、例えば、接着剤で取り付けられるが、ねじなどの固定部材によって固定されるなど、どのような方法で取り付けられてもよい。
【００６０】
反射部材２３ａの光源１０に対向する側面は、反射部２４ａであり、反射部材２３ｂの光源１０に対向する面は、反射部２４ｂである。反射部２４ａおよび反射部２４ｂは、光源１０が前方に発する光の一部を、光源１０の後方に向けて反射する。反射部材２３ａおよび反射部材２３ｂは、言い換えれば、導光板２０ｂの外側に向かって突出した凸部であり、反射部２４ａおよび反射部２４ｂは、当該凸部の側面である。
【００６１】
なお、反射部材２３ａおよび反射部材２３ｂは、導光板２０ｂと同様にアクリルであってもよいし、金属など導光板２０ｂとは異なる材料で形成されてもよい。
【００６２】
また、反射部は、導光板２０ｂに重ね合わされる板状部材が折り曲げられて形成されてもよい。図８は、板状部材が折り曲げられて形成された反射部を説明するための図である。
【００６３】
図８の（ａ）に示されるように、反射部４５ａおよび反射部４５ｂは、板状部材４５が延伸されて折り曲げられることによって、板状部材４５の一部として形成されている。板状部材４５の導光板２０ｂに重ねられる部分を板状部材本体（第１板状部）とした場合、反射部４５ａおよび反射部４５ｂは、板状部材本体から延伸されてカバー３０の周縁部３０ｂと導光板２０ｂの側面との間に位置し、導光板２０ｂの側面に対向する部分（第２板状部）となる。
【００６４】
図８の（ｃ）に示されるように、板状部材４５（図８の（ａ））は、円形板状の導光板２０ｂ（図８の（ｂ））に取り付けられる。反射部４５ａおよび反射部４５ｂは、導光板２０ｂの側面とカバー３０の周縁部３０ｂとの間に位置し、光源１０が前方に発する光の一部を光源１０の後方に反射する。
【００６５】
板状部材４５は、例えば、アルミなどの金属鋼板や、ＰＢＴなどの樹脂板で形成される。なお、板状部材４５と、上述の基板７０とは同一部材であってもよい。この場合、基板７０は、さらに、基板本体７０ａから延伸されて導光板の側面とカバー３０の周縁部３０ｂとの間に位置する部分（第２板状部）を備え、当該部分に反射部が設けられる。つまり、基板７０には、光源１０が実装され、なおかつ、反射部４５ａおよび反射部４５ｂが設けられることになる。板状部材４５と基板７０とが同一部材である場合は、照明器具を構成する部品点数を削減することができ、組み立て工数の削減や材料費の削減が可能となる。
【００６６】
なお、上記反射部４５ａおよび反射部４５ｂは、板状部材４５が折り曲げられて形成される必要はない。反射部４５ａおよび反射部４５ｂは、板状部材４５とは別個に形成された後、板状部材４５に接着や溶接等されてもよい。また、図８の（ａ）に示されるように、反射部４５ａの裏面４５ｃ（光源１０と対向しない面）についても反射性を有してもよい。
【００６７】
（実施の形態２）
反射部は、導光板の厚み方向における端部にそれぞれ設けられてもよい。実施の形態２では、このような態様の反射部を備える照明器具について説明する。
【００６８】
図９は、実施の形態２に係る照明器具の模式断面図である。なお、図９では、光源１０、カバー３０、および導光板１２０のみが図示され、その他の構成要素については、照明器具１００と同様であるため図示が省略される。また、以下の実施の形態２では、実施の形態１と実質的に同一の構成要素については同一の符号が付され、詳細な説明については省略される。
【００６９】
図９に示される照明器具２００が備える導光板１２０は、側面に凹部が設けられている。ここで、この凹部は、実施の形態１の導光板２０に設けられた凹部とは異なり、導光板１２０を主面に垂直な平面で切断した断面図上において、導光板１２０の内側（中心）に向かって凹んでいる。
【００７０】
導光板１２０の側面のうち凹部の側面に対応する天井側（以下、上方とも記載する）の湾曲面は反射部１２１ａであり、導光板１２０の側面のうち凹部の側面に対応する床面側（以下、下方とも記載する）の湾曲面は反射部１２１ｂである。なお、反射部１２１ａおよび反射部１２１ｂは、導光板１２０の全周にわたって連続的に設けられてもよいし、光源１０に対応して断続的に設けられてもよい。
【００７１】
図９の（ｂ）に示されるように、反射部１２１ａおよび反射部１２１ｂは、光源１０が前方に発する光の一部を光源１０の後方、つまり、カバー３０の周縁部３０ｂに向けて反射する。
【００７２】
ここで、実施の形態２では、反射部１２１ａと反射部１２１ｂとは湾曲度合いが互いに異なる湾曲面である。図１０は、反射部１２１ａおよび反射部１２１ｂの拡大図である。
【００７３】
図１０に示されるように、導光板１２０の側面は、上述の反射部１２１ａおよび反射部１２１ｂと、凹部の底面に対応する平面である入光部１２１ｃとを有する。反射部１２１ａおよび反射部１２１ｂは、導光板１２０の厚み方向において入光部１２１ｃを挟むように設けられている。なお、実施の形態１と同様に、入光部１２１ｃに入射した光源１０からの光は、主に、導光板１２０の第２の主面１２０ｅで反射されて導光板１２０の第１の主面１２０ｄから出射される。
【００７４】
図１０に示されるように、反射部１２１ａのほうが、反射部１２１ｂよりも湾曲が急である。反射部１２１ａは、上方（天井側）には、あまり光を反射しない。なぜなら、反射部１２１ａは、導光板１２０の側面の中では比較的上方に位置し、反射部１２１ａが反射部１２１ａよりもさらに上方に向けて光を反射する必要性は乏しいからである。
【００７５】
これに対し、反射部１２１ｂは、導光板１２０の側面の中では比較的上方に位置し、反射部１２１ｂが反射部１２１ｂよりもさらに上方に向けて光を反射しても、カバー３０の周縁部３０ｂに向かうため、反射した光が無駄にならない。
【００７６】
このように、反射部１２１ａおよび反射部１２１ｂは、光を効率的に光源１０の後方に向けて反射するように、湾曲度合いが互い異なる。
【００７７】
以上説明したように、実施の形態２に係る照明器具２００は、反射部１２１ａおよび反射部１２１ｂによって、カバー３０の周縁部３０ｂから外部に光を出射することができる。
【００７８】
なお、実施の形態２においても、反射部の態様は、このような態様に限定されるものではない。図１１は、反射部の別の態様を示す図である。
【００７９】
図１１の（ａ）に示される導光板１２０ａに設けられた反射部１２２ａおよび反射部１２２ｂは、反射部１２１ａおよび反射部１２１ｂと異なり、湾曲度合いが同一である。このような反射部１２２ａおよび反射部１２２ｂであっても、光源１０からの光を光源１０の後方に向けて反射することが可能である。また、図１１の（ｂ）に示される導光板１２０ｂに設けられた反射部１２３ａおよび反射部１２３ｂのように、反射部は、平面であってもよい。
【００８０】
そして、図１１の（ｃ）に示されるように、導光板１２０ｃとは別の部材である反射部材１４５ａおよび反射部材１４５ｂが設けられ、反射部１２４ａおよび反射部１２４ｂがそれぞれ反射部材１４５ａおよび反射部材１４５ｂに設けられてもよい。この場合、反射部材１４５ａおよび反射部材１４５ｂは、実施の形態１のように板状部材（基板）の一部として実現されてもよい。
【００８１】
（その他の実施の形態）
以上、実施の形態１および２に係る照明器具について説明したが、本発明は、このような実施の形態に限定されるものではない。
【００８２】
上記実施の形態では、導光板は、円形板状または略円形板状であるとして説明したが、導光板の形状はこのような形状に限定されるものではない。例えば、導光板は、平面視形状が多角形（略多角形）であってもよい。図１２は、平面視形状が多角形の導光板に反射部が設けられる例を示す図である。
【００８３】
図１２の（ａ）に示される導光板２２０ａのように、反射部２２１ａおよび反射部２２１ｂは、平面視形状が多角形の導光板２２０ａの側面のうち、内側に向かって凹んだ凹部の側面に対応する平面であってもよい。また、図１２の（ｂ）に示される導光板２２０ｂのように、凹部（反射部２２２ａおよび反射部２２２ｂ）は、導光板２２０ｂの角（凹部が設けられなかったとした場合に角である場所）に設けられてもよい。
【００８４】
また、図１２の（ｃ）に示される導光板２２０ｃのように、反射部２２３ａおよび反射部２２３ｂは、導光板２２０ｃの側面のうち厚み方向における端部にそれぞれ設けられてもよい。
【００８５】
また、上記実施の形態と同様に、反射部は、平面である必要はなく、図１２の（ｄ）に示される導光板２２０ｄのように、平面視形状が多角形の導光板２２０ｄの側面に、階段状の反射部２２４ａおよび反射部２２４ｂが設けられてもよい。
【００８６】
また、平面視形状が多角形の導光板においても、反射部は、導光板と一体である必要はない。図１３は、導光板とは別体として設けられる反射部を示す図である。
【００８７】
図１３の（ａ）に示される平面視形状が多角形の導光板２２０ｅの側面には、導光板２２０ｅとは別の部材である反射部材２３３ａおよび反射部材２３３ｂが取り付けられている。反射部材２３３ａおよび２３３ｂは、三角柱形状の部材であり、反射部材２３３ａおよび反射部材２３３ｂのそれぞれの一つの側面が、導光板２２０ｅに取り付けられている。
【００８８】
反射部材２３３ａの光源１０に対向する側面は、反射部２２５ａであり、反射部材２３３ｂの光源１０に対向する面は、反射部２２５ｂである。反射部２２５ａおよび反射部２２５ｂは、光源１０が前方に発する光の一部を光源１０の後方に向けて反射する。
【００８９】
また、図１３の（ｂ）に示されるように、反射部２２６ａおよび反射部２２６ｂは、板状部材２４５が導光板２２０ｅの側面まで延伸されることによって、板状部材４５の一部として形成されてもよい。
【００９０】
なお、上記実施の形態で説明したように、平面視形状が多角形の導光板に対する光源１０の配置についても、図１４の（ａ）に示されるように、光源１０同士が導光板２２０ｆを介して対向しないほうがよい。また、光源１０は、必ず各辺に設けられる必要はなく、図１４の（ｂ）に示されるように、例えば、光源１０が矩形の導光板２２０ｆの４辺のうち２辺のみに沿って設けられてもよい。
【００９１】
また、上記実施の形態では１つの光源１０に対して２つの反射部が設けられたが、反射部は１つの光源１０に対して１つ設けられてもよいし、１つの反射部で２つの光源１０からの光を反射してもよい。つまり、反射部の位置や個数は、特に限定されるものではない。
【００９２】
また、上記実施の形態では、照明器具は、ダウンライトであるとして説明したが、本発明は、上記実施の形態と同様の思想を用いた他の照明器具や、照明装置、光源などとして実現されてもよい。
【００９３】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００９４】
１０、１０ａ〜１０ｆ  光源
１５  位置
２０、２０ａ、２０ｂ、２５、１２０、１２０ａ〜１２０ｃ、２２０ａ〜２２０ｆ  導光板
２１  凹部
２１ａ、２１ｂ、２２ａ、２２ｂ、２４ａ、２４ｂ、４５ａ、４５ｂ、１２１ａ、１２１ｂ、１２２ａ、１２２ｂ、１２３ａ、１２３ｂ、１２４ａ、１２４ｂ、２２１ａ、２２１ｂ、２２２ａ、２２２ｂ、２２３ａ、２２３ｂ、２２４ａ、２２４ｂ、２２５ａ、２２５ｂ、２２６ａ、２２６ｂ  反射部
２１ｃ、１２１ｃ  入光部
２３ａ、２３ｂ、１４５ａ、１４５ｂ、２３３ａ、２３３ｂ  反射部材
２０ｃ、２５ａ、１２０ｄ  第１の主面
２０ｄ、２５ｂ、１２０ｅ  第２の主面
３０、３５  カバー
３０ａ  本体部
３０ｂ  周縁部
４０  反射シート
４５、２４５  板状部材
４５ｃ  裏面
５０ａ、５０ｂ、１００、２００  照明器具
５５  筐体
６０  天井材
７０ａ  基板本体
７０ｂ  実装部
７５  取り付け用バネ
８０  電源部
９０  ヒートシンク
【図１】
2015130271.tif 000003
【図２】
2015130271.tif 000004
【図３】
2015130271.tif 000005
【図４】
2015130271.tif 000006
【図５】
2015130271.tif 000007
【図６】
2015130271.tif 000008
【図７】
2015130271.tif 000009
【図８】
2015130271.tif 000010
【図９】
2015130271.tif 000011
【図１０】
2015130271.tif 000012
【図１１】
2015130271.tif 000013
【図１２】
2015130271.tif 000014
【図１３】
2015130271.tif 000015
【図１４】
2015130271.tif 000016